(57)【要約】【課題】商品吊下バーに対する着脱が容易で、しかも商品カードの挿脱が簡単なカードホルダを提供する。【解決手段】商品陳列具の５０に、ベース部材５１を介して、上下２段の商品吊下バー５２，５３を装着する。上の商品吊下バー５２の先端の屈曲部５２ａには価格等を表示したカードを取り付け、下の商品吊下バー５３には、文具，菓子類等の小物の商品を取り付ける。カードホルダ１０は、左右に長い一対のカード挟持板１１，１２と、左端側の第１脚部１３と右端側の第２脚部１４とを有する。第１脚部１３の第１係合凹部Ｍを、商品吊下バー５２に左方から係合させ、第２脚部１４の第２係合凹部Ｎを、別の商品吊下バー５２に上方から係合させることで、簡単にカードホルダ１０を取り付けることができる。その後、カード挟持板１１，１２の間の第１間隙に商品カードＣを挟み込んで保持する。【選択図】図１０
2009028141.tif 000002
【特許請求の範囲】
【請求項１】
商品陳列具の一部を構成する梁状部材の左右方向の異なる位置から前方に延びる複数の商品吊下バーに取り付けて使用するカードホルダにおいて、
商品カードが上方から挿入される第１間隙を介して前後方向に対向するとともに左右方向に延びる一対のカード挟持板と、
前記一対のカード挟持板の底部における左右方向の一方の端部側に取り付けられて、前記商品吊下バーに左右方向から係脱される第１係合凹部を有する第１脚部と、
前記一対のカード挟持板の前記底部における左右方向の他方の端部側に取り付けられて、別の前記商品吊下バーに上方から係脱される第２係合凹部を有する第２脚部と、を備える、
ことを特徴とするカードホルダ。
【請求項２】
前記第２脚部は、左右方向に異なる位置に複数の前記第２係合凹部を有する、
ことを特徴とする請求項１に記載のカードホルダ。
【請求項３】
前記一対のカード挟持板のうちの、後側に位置する前記カード挟持板の背面側から上方に向けて突設されて、前記背面との間に商品カードが上方から挿入される第２間隙を構成する補助板を有する、
ことを特徴とする請求項１又は２に記載のカードホルダ。
【請求項４】
前記補助板の背面に、前記梁状部材に対して上方から係脱可能なフックが形成されている、
ことを特徴とする請求項３に記載のカードホルダ。
【請求項５】
前記一対のカード挟持板は、相互に対面する内面に、相手方の前記カード挟持板に向かって突設されて前記第１間隙を狭める上下方向のリブを左右方向に複数有し、前記複数のリブには、前記第１間隙に対する挿入時の商品カードの下端をガイドする傾斜ガイドが形成されている、
ことを特徴とする請求項１ないし４のいずれか１項に記載のカードホルダ。
【請求項６】
前記複数のリブは、前記一対のカード挟持版に対して、左右方向に沿って、一方の前記カード挟持板と他方の前記挟持板とに交互に配置されている、
ことを特徴とする請求項５に記載のカードホルダ。
【発明の詳細な説明】
【技術分野】
【０００１】
本発明は、スーパーマーケットやデパートの商品売り場において、文具，菓子類等の小物の商品に対する付加情報を標記した商品カードを保持するためのカードホルダに関する。
【背景技術】
【０００２】
スーパーマーケットやデパートにおいて、文具，菓子等の小物の商品を陳列する方法として、商品吊下バー（支持バー）に商品を引っかける方法が知られている（例えば、特許文献１参照）。
【０００３】
商品吊下バーは、その基端側が「コ」字形のベース部材に固定されていて、ほぼ水平に前方に向けて延びるように配設されている。ベース部材は、商品陳列具の一部を構成する、左右方向に延びる角柱状の梁状部材に上方から係合されていて、左右方向に移動自在となっている。商品は、包装袋に入れられた状態で、包装袋に穿設された透孔を商品吊下バーに通したり、包装袋に係合された小さなフックを商品吊下バーに引っかけたりすることで、陳列されている。
【０００４】
また、商品吊下バーの上には、これと平行に別の支持バーが配設されており、その先端に、透明なカードケースが保持されていて、カードケースには、商品の価格等が表示されたカードが保持されている。このような商品吊下バー及びカードが上下左右に多数配置されていて、種々の商品を整然と保持するのに使用されている。
【特許文献１】特開２００５−１９２５８６号公報
【発明の開示】
【発明が解決しようとする課題】
【０００５】
しかしながら、上述の特許文献１においては、価格等の、商品についての必要最小限の情報は、表示することができるものの、商品に対するその他の付加情報、例えば、メーカーや商品納入業者が販売促進を目的として購買者に強くアピールしたいような宣伝文やキャラクタが標記されたカード（以下「商品カード」という。）を取り付けるような場所が確保されていないため、メーカー等は、商品吊下バーに吊された自社の商品を積極的にアピールすることができないといった問題があった。
【０００６】
そこで、本発明は、商品吊下バーに対する着脱が容易で、しかも商品カードの挿脱が簡単なカードホルダを提供することを目的とするものである。
【課題を解決するための手段】
【０００７】
請求項１に係る発明は、商品陳列具の一部を構成する梁状部材の左右方向の異なる位置から前方に延びる複数の商品吊下バーに取り付けて使用するカードホルダに関する。この発明に係るカードホルダは、商品カードが上方から挿入される第１間隙を介して前後方向に対向するとともに左右方向に延びる一対のカード挟持板と、前記一対のカード挟持板の底部における左右方向の一方の端部側に取り付けられて、前記商品吊下バーに左右方向から係脱される第１係合凹部を有する第１脚部と、前記一対のカード挟持板の前記底部における左右方向の他方の端部側に取り付けられて、別の前記商品吊下バーに上方から係脱される第２係合凹部を有する第２脚部と、を備える、ことを特徴としている。
【０００８】
請求項２に係る発明は、請求項１に係るカードホルダにおいて、前記第２脚部は、左右方向に異なる位置に複数の前記第２係合凹部を有する、ことを特徴としている。
【０００９】
請求項３に係る発明は、請求項１又は２に係るカードホルダにおいて、前記一対のカード挟持板のうちの、後側に位置する前記カード挟持板の背面側から上方に向けて突設されて、前記背面との間に商品カードが上方から挿入される第２間隙を構成する補助板を有する、ことを特徴としている。
【００１０】
請求項４に係る発明は、請求項３に係るカードホルダにおいて、前記補助板の背面に、前記梁状部材に対して上方から係脱可能なフックが形成されている、ことを特徴としている。
【００１１】
請求項５に係る発明は、請求項１ないし４のいずれか１項に係るカードホルダにおいて、前記一対のカード挟持板は、相互に対面する内面に、相手方の前記カード挟持板に向かって突設されて前記第１間隙を狭める上下方向のリブを左右方向に複数有し、前記複数のリブには、前記第１間隙に対する挿入時の商品カードの下端をガイドする傾斜ガイドが形成されている、ことを特徴としている。
【００１２】
請求項６に係る発明は、請求項５に係るカードホルダにおいて、前記複数のリブは、前記一対のカード挟持版に対して、左右方向に沿って、一方の前記カード挟持板と他方の前記挟持板とに交互に配置されている、ことを特徴としている。
【発明の効果】
【００１３】
請求項１の発明によると、カードホルダは、第１脚部の第１係合凹部を左右方向から商品吊下バーに係合させ、この係合状態を維持して、第２脚部の第２係合凹部を別の商品吊下バーに上方から係合させることにより、商品吊下バーに簡単に取り付けることができる。そして、カードホルダは、取り付け後には、安定した姿勢を維持することができる。この状態で、一対のカード挟持板の間の第１間隙に商品カードを挿入することができる。さらに、商品カードは、第１間隙から簡単に引き抜くことができ、また、上述の逆の手順で、商品吊下バーからカードホルダを簡単に取り外すことができる。
【００１４】
請求項２の発明によると、第２脚部が複数の第２係合凹部を有しているので、カードホルダを商品吊下バーに取り付ける際に、第２係合凹部を係合させる側の商品吊下げバーの位置を左右方向のほとんど移動させることなく、この商品吊下バーに複数の商品係合凹部のうちのいずれかを係合させることができる。
【００１５】
請求項３の発明によると、第１間隙の外に、第２間隙を有しているので、この第２間隙にも商品カードを簡単に着脱することができる。
【００１６】
請求項４の発明によると、補助板の背面に形成されたフックを使用して、カードホルダを直接、梁状部材に取り付けることもできる。
【００１７】
請求項５の発明によると、第１間隙に挿入された商品カードを、カード挟持板の内面に形成されたリブによって確実に保持することができる。また、リブには傾斜ガイドが形成されているので、第１間隙に対する商品カードの挿入を円滑に行うことができる。
【００１８】
請求項６の発明によると、第１間隙に挿入された商品カードを、交互に配置された複数のリブによって湾曲させる（腰を付ける）ことができるので、例えば、薄くて大きい商品カードも確実に保持することができる。
【発明を実施するための最良の形態】
【００１９】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２０】
図１〜図１３を参照して、本発明の実施形態１に係るカードホルダ１０について説明する。このうち、図１は、カードホルダ１０を前側の右斜め上方から見た斜視図である。図２は、カードホルダ１０を後側の右斜め上方から見た斜視図である。図３はカードホルダ１０の正面図、図４は背面図、図５は平面図、図６は底面図、図７は右側面図、図８は左側面図であり、図９は図３のＡ−Ａ断面図である。図１０〜図１３は、カードホルダ１０の使用態様を説明する、前側の右斜め上方から見た斜視図である。
【００２１】
カードホルダ１０は、図１，図２に示すように、左右方向に長い一対のカード挟持板１１，１２と、このカード挟持板１１，１２の左端側（一方の端部側）に取り付けられた第１脚部１３と、右端側（他方の端部側）に取り付けられた第２脚部１４とを備えており、さらに、後側に位置するカード挟持板１２の背面側には、補助板１５及びフック１６が設けられている。以下、カード挟持板１１，１２から順に説明する。
【００２２】
カード挟持板１１，１２は、それぞれ左右方向に長い板状の部材によって形成されていて、２枚が平行となるように前後方向に対向して配置されている。カード挟持板１１，１２の左右方向の長さや高さについては、保持すべき商品カードＣ（図１０，図１１，図１３）の大きさや枚数に応じて適宜に設定することができる。ここで、商品カードＣについて説明する。商品カードＣとは、小物の文具や菓子等の商品に対する付加情報、例えば、メーカーや商品納入業者が販売促進を目的として購買者に強くアピールしたいようなキャッチコピーやキャラクタが標記されたカードをいうものとする。相互に対向するカード挟持板１１，１２の間には、前後方向に薄く左右方向に延びる面状の第１間隙Ｇ１が形成されている。この第１間隙Ｇ１の前後方向の幅ｔ１、すなわち前側のカード挟持板１１の内面（後面）１１ａと後側のカード挟持板１２の内面（前面）１２ａとの間の距離は、挿入される商品カードＣの厚さよりも広くなるように設定されている。カード挟持板１１，１２の下端には、第１間隙Ｇ１の下端を覆うように底部２０が設けてある。
【００２３】
カード挟持板１１，１２の内面１１ａ，１２ａには、図５，図７〜図９に示すように、複数のリブ２１，２２が突設されている。各リブ２１は、前側のカード挟持板１１の内面（後面）１１ａに上下方向に配置されていて、後側のカード挟持板１２の内面１２ａに向かって突設されている。一方、各リブ２２は、後側のカード挟持板１２の内面（前面）１２ａに上下方向に配置されていて、前側のカード挟持板１１の内面１１ａに向かって突設されている。これらリブ２１，２２は、内面１１ａ，１２ａからの突設量が第１間隙Ｇ１の幅ｔ１のほぼ半分になるように設定されている。つまり、リブ２１の後面２１ａ、及びリブ２２の前面２２ａが、第１間隙Ｇ１の幅ｔ１のほぼ中央に位置するようになっている。図７〜図９に示すように、各リブ２１，２２の上端には、傾斜ガイド２１ｂ，２２ｂが形成されている。また、図５に示すように、本実施形態では、前側のカード挟持板１１側のリブ２１と、後側のカード挟持板１２側のリブ２２とは、左右方向に沿って交互に配置されている。上述のようにリブ２１，２２の上端に傾斜ガイド２１ｂ，２２ｂが形成されていて、第１間隙Ｇ１に上方から商品カードＣを挿入する際に、商品カードＣの下端がこれら傾斜ガイド２１ｂ，２２ｂにガイドされるので、商品カードＣの挿入動作を円滑に行うことができる。さらに、上述のように、リブ２１とリブ２２とが左右方向に交互に配置されていて、第１間隙に挿入された商品カードＣを、これらリブ２１，２２によって湾曲させる（腰を付ける）ことができるので、例えば、商品カードＣが薄くて大きいような場合であっても、確実に保持することができる。
【００２４】
第１脚部１３は、図１〜図４に示すように、カード挟持板１１，１２の左端側の底部２０近傍に配置されている。第１脚部１３は、ほぼ「Ｌ」字形をした２枚の第１脚板２３，２４を有している。このうち、前側の第１脚板２３は、前側のカード挟持板１１の前面１１ｂにおける左端側の下端部に固定されている。一方、後側の第１脚板２３は、後側のカード挟持板１２の後面１２ｂにおける左端側の下端部に固定されている。前側の第１脚板２３の水平部２３ａ及び後側の第１脚部２４の水平部２４ａと、カード挟持板１１，１２の底部２０との間には、第１係合凹部Ｍが形成されている。第１係合凹部Ｍは、左右方向に長く形成されていて、右端側には右方に向けて開口された開口部Ｍ１を有している。第１係合部Ｍは、第１脚板２３，２４の水平部２３ａ，２４ａの上端縁に段部２３ｂ，２４ｂが形成されていることにより、上下方向の寸法が、基端側係合部Ｍ２で狭く、先端側係合部Ｍ３で広くなっている。後述する商品吊下バー５２，５３は、その太さが細い場合と太い場合とがあるが、細い商品吊下バー５２，５３に対しては、第１係合凹部のうちの、基端側係合部Ｍ２が係合され、太い商品吊下バー５２，５３に対しては、先端側係合部Ｍ３が係合されるようになっている。第１脚部１３は、いずれの太さの商品吊下バー５２，５３に対しても、その左方から第１係合凹部Ｍを係合させるようになっている。
【００２５】
第２脚部１４は、図１〜図４に示すように、カード挟持板１１，１２の底部２０における右端側に配置されている。第２脚部１４は、櫛歯状の、左右方向に長い２枚の第２脚板２５，２６を有している。このうち、前側の第２脚板２５は、底部２０の前側に固定されており、後側の第２脚板２６は、底部２０の後端側に固定されている。第２脚板２５，２６には、左右方向の複数の第２係合凹部Ｎが形成されている。第２係合凹部Ｎは、上端が半円状に形成され、下端には下方に向けて開口された開口部を有している。開口部の左右方向の寸法は、上述の商品吊下バー５２，５３のうちの、太さの太い商品吊下バー５２，５３のその直径よりも少し広く設定されている。第２脚部１４は、いずれの太さの商品吊下バー５２，５３に対しても、その上方から第２係合凹部Ｎを係合させるようになっている。
【００２６】
補助板１５は、図１，図２に示すように、後側のカード挟持板１２の後面（背面）１２ｂ側に配設されている。本実施形態では、２個の補助板１５が、カード挟持板１２の左右方向の中心を基準として、左右に振り分けるようにして配置されている。各補助板１５は、水平部１５ａと垂直部１５ｂとを有していて、短く形成された水平部１５ａの先端が後側のカード挟持板１２の後面１２ｂの下端に固定されている。これにより、後面１２ｂと垂直部１５ｂとの間に、第２間隙Ｇ２が形成されている。図７に示すように、第２間隙Ｇ２の前後方向の幅ｔ２は、上述の第１間隙ｔ１よりも広く設定されている。第２間隙Ｇ２は、左方，右方，上方の３方が開放されている。以上のように、第２間隙Ｇ２は、左右方向の位置が異なる２箇所に設けられ、また、幅ｔ２が、第１間隙Ｇ１の幅ｔ１よりも大きく設定されているので、例えば、図１１に示すように、大きさが大きく、また、厚さが厚い商品カードＣ１を保持するのに好適である。
【００２７】
フック１６は、本実施形態では、図１，図２に示すように、上述の補助板１５の後面（背面）１５ｃに形成されている。各フック１６は、補助板１５の後面１５ｃから後方に延びる水平部１６ａと水平部１６ａの後端から下方に垂下された垂直部１６ｂとを有している。このようなフック１６があると、例えば、商品陳列具に商品吊下バーが設けてないような場合でも、これらのフック１６を左右方向に向けて配設された梁状部材５０に直接、係合させることにより、カードホルダ１０を取り付けることができる。
【００２８】
以上で、カードホルダ１０の構成要素である、カード挟持板１１，１２、第１脚部１３、第２脚部１４、補助板１５、フック１６の説明を終える。
【００２９】
上述構成のカードホルダ１０は、例えば、合成樹脂を射出成形することで構成することができ、また、各構成要素を個別に作製して適宜に接合させて構成することもできる。カードホルダ１０の製造方法や材質については、特に制約がなく任意のものを採用することが可能であるが、材質については、上述のように合成樹脂を使用した場合には、カード挟持板１１，１２によって商品カードＣを挟持する際に、適宜な弾性を発揮させることが容易であるので、特に好ましい。
【００３０】
また、カードホルダ１０全体が透明であることが好ましい。特に、カード挟持板１１，１２が透明であると、これらに狭持された部分に記載されている商品カードの情報についても、カード挟持板１１，１２越しに視認できるので都合がよい。
【００３１】
図１３を参照して、カードホルダ１０の使用態様を説明する。これらの図に示すように、スーパーマーケットやデパートの商品売り場において、文具，菓子類等の小物の商品を陳列するための商品陳列具の１つとして、左右方向に延びる角柱状の梁状部材５０が使用されている。この梁状部材５０に対して、断面「コ」字形のベース部材５１が上方から係合されて、左右方向にスライド可能に保持されている。商品吊下バー５２，５３は、このベース部材５１に固定されている。図１０，図１１の例では、棒状部材を屈曲させることで、上下２段の商品吊下バー５２，５３が形成されている。これら商品吊下バー５２，５３は、後端側の連結部５４で連結されていて、全体として、ベース部材５１に固定されている。つまり１つのベース部材５１に対して、上下２本の商品吊下バー５２，５３が前側に延びるように構成されている。上下２本の商品吊下バー５２，５３のうち、上の商品吊下バー５２は、その先端（前端）に、上方に向かって直角に屈曲された屈曲部５２ａを有している。一方、下の商品吊下バー５３は、その先端（前端）に、上方に向かって傾斜した屈曲部５３ａが形成されている。このように２段に構成された商品吊下バー５２，５３にあっては、通常、上の商品吊下バー５２の屈曲部５２ａには、商品の価格等が記載されたカードを保持する透明なカードケース（不図示）が取り付けられる。一方、下の商品吊下バー５３には、包装袋（不図示）に入れられた商品（不図示）が、包装袋に穿設された透孔（不図示）を屈曲部５３ａから商品吊下バー５３に通すことで、吊り下げられるようになっている。なお、商品吊下バー５２，５３は、ベース部材５１を梁状部材５０に沿って左右方向に移動させることにより、左右方向の位置については、任意の位置に配置することができるようになっている。
【００３２】
従来、上述のような商品吊下バー５２，５３においては、商品の価格等を表示したカードは、保持することができるものの、商品についてのその他の情報を表示する商品カードを保持することができなかった。
そこで、本発明においては、上述のようなカードホルダ１０を使用して、商品カードＣを保持するようにした。
【００３３】
本実施形態では、複数の上の商品吊下バー５２を利用して、カードホルダ１０を取り付ける。まず、第１脚部１３の第１係合凹部Ｍを図１０中の最も左側に位置する上の商品吊下バー５２に左方から係合させる。つづいて、第２脚部１４を上方から下降させて、第２係合凹部Ｎを最も右側に位置する上の商品吊下バー５２に上方から係合させる。この際、第２係合凹部Ｎが左右方向に複数設けてあるので、カードホルダ１０を左右方向に移動させることなく、あるいは移動させる場合でもわずかに移動させるだけで、１つの第２係合凹部Ｎを商品吊下バー５２に係合させることができる。なお、このときの、商品吊下バー５２に対する、第１係合凹部Ｍ，第２係合凹部Ｎの前後方向の係合位置は、任意に設定することができる。
【００３４】
このように、商品吊下バー５２に対するカードホルダ１０の取り付け（係合）は、特別な道具等を使用することなく、また、下の商品吊下バー５３に商品を吊下したままの状態で、極めて簡単に行うことができる。そして、取り付け後には、カードホルダ１０は、安定した姿勢を維持することができる。すなわち、カードホルダ１０全体の上下方向の不要な移動は、第１脚部１３によって禁止され、左右方向の不要な移動は、主に第２脚部１４によって禁止され、さらに、商品吊下バー５２の前側からの脱落は、屈曲部５２ａによって防止され、後側からの脱落は、第１脚部１３の後側の第１脚板２４の水平部２４ａが商品吊下バー５２，５３の連結部５４に当接することで防止される。そして、前後方向の不要な傾斜については、第１脚部１３，第２脚部１４が、それぞれ前後方向に離れた２枚の第１脚板２３，２４、第２脚板２５，２６によって構成されていることで、有効に防止される。
【００３５】
取付後のカードホルダ１０に対しては、図１０に示すように、そのカード挟持板１１，１２の間の第１間隙Ｇ１に上方から商品カードＣを挿入することができる。挿入された商品カードＣは、上述のように、カード挟持板１１，１２の内面１１ａ，１２ａに突設された複数のリブ２１，２２により、安定した状態で保持される。また、商品カードＣは、上方から引き上げることで、簡単に第１間隙Ｇ１から引き抜くことができる。さらに、商品吊下バー５２からカードホルダ１０を取り外す際には、上述の取り付けのときと逆の手順で簡単に取り外すことができる。従って、カードホルダ１０の取り付け位置の変更は容易である。
【００３６】
図１１に示すように、大きくて厚い商品カードＣ１は、図２，図７に示すように、その下端部を、左右２つの第２間隙Ｇ２に跨るように挿入することで安定した姿勢で保持することができる。
【００３７】
なお、上述では商品吊下バー５２，５３が上下２段に構成されている場合を説明したが、商品吊下バーが１段の場合も、この商品吊下バーに対して、カードホルダ１０を上述と同様にして取り付けることができる。
図１２は、商品吊下バーがない場合の、カードホルダ１０の取り付け方法を示す。図１，図２に示す左右２つのフック１６を、梁状部材５０に直接、上方から係合させる。これにより、カードホルダ１０を取り付けることができる。この場合も、カードホルダ１０は、梁状部材５０に沿って左右方向に自由に移動させることができる。このように、カードホルダ１０は、梁状部材５０に直接、取り付けた場合であっても、上述の図１０で説明したものと同様に、その第１間隙Ｇ１に対して商品カードＣを簡単に着脱することができる。さらに、この場合でも、図１１で説明したものと同様に、第２間隙Ｇ２に対して、大きく厚い商品カードＣ１を着脱することが可能である。
＜実施形態２＞
【００３８】
図１４（ａ）〜（ｅ）を参照して、本発明の実施形態２に係るカードホルダ１０Ａについて説明する。このうち、（ａ）は正面図、（ｂ）は平面図、（ｃ）は底面図、（ｄ）は右側面図、（ｅ）は（ａ）のＡ−Ａ断面図である。
【００３９】
これらの図に示すように、本実施形態に係るカードホルダ１０Ａは、上述の実施形態１のカードホルダ１０から、フック１６を割愛したものである。
【００４０】
本実施形態のカードホルダ１０Ａによると、実施形態１のカードホルダ１０とは異なり、フック１６がないため、梁状部材５０に直接、取り付けることはできないものの、フック１６がない分、構成を簡略化することができ、さらに取り付け時に、フック１６が後方に突出してじゃまになるということがない。
＜実施形態３＞
【００４１】
図１５（ａ）〜（ｅ）を参照して、本発明の実施形態３に係るカードホルダについて説明する。このうち、（ａ）は正面図、（ｂ）は平面図、（ｃ）は底面図、（ｄ）は右側面図、（ｅ）は（ａ）のＡ−Ａ断面図である。
【００４２】
これらの図に示すように、本実施形態に係るカードホルダ１０Ｂは、上述の実施形態２のカードホルダ１０Ａから、第２間隙Ｇ２を構成する補助板１５を割愛したものである。
【００４３】
本実施形態のカードホルダ１０Ｂによると、実施形態２のカードホルダ１０Ａとは異なり、補助板１５がなく、したがって第２間隙Ｇ２がないため、大きく厚い商品カードＣ１は、保持することができないものの、補助板１５がない分、構成を簡略化することができ、さらに取り付け時に、補助板１５が後方及び上方に突出してじゃまになるということがない。
【００４４】
以上の実施形態１〜３では、第１脚部１３について、その第１脚板２３，２４の水平部２３ａ，２４ａの先端が左右方向の中央側（右側）を向いた例を説明した。すなわち、第１係合凹部Ｍの開口部Ｍ１が、第１係合凹部Ｍの右端側に位置する場合を説明した。これに代えて、第１脚板の水平部の先端が左右方向の外側（左側）を向くように構成してもよい。すなわち、第１係合凹部の開口部が、第１係合凹部の左端側に位置するようにしてもよい。この場合、第１脚部を商品吊下バー５２に取り付ける際、商品吊下バー５２に対して、第１係合凹部を右側から係合させることになる。なお、この場合でも、カードホルダの取り付け、取り外し動作や、作用効果のついては、上述の実施形態１〜３とほぼ同様である。
【図面の簡単な説明】
【００４５】
【図１】図１〜図１３は、実施形態１を説明する図であり、このうち、図１は、カードホルダを前側の右斜め上方から見た斜視図である。
【図２】カードホルダを後側の右斜め上方から見た斜視図である。
【図３】カードホルダの正面図である。
【図４】カードホルダの背面図である。
【図５】カードホルダの平面図である。
【図６】カードホルダの底面図である。
【図７】カードホルダの右側面図である。
【図８】カードホルダの左側面図である。
【図９】図３のＡ−Ａ断面図である。
【図１０】カードホルダの使用態様を説明する、前側の右斜め上方から見た斜視図である。
【図１１】カードホルダの使用態様を説明する、前側の右斜め上方から見た斜視図である。
【図１２】カードホルダの使用態様を説明する、前側の右斜め上方から見た斜視図である。
【図１３】カードホルダの使用態様を説明する、前側の右斜め上方から見た斜視図である。
【図１４】実施形態２を説明する図であり、（ａ）は正面図、（ｂ）は平面図、（ｃ）は底面図、（ｄ）は右側面図、（ｅ）は（ａ）のＡ−Ａ断面図である。
【図１５】実施形態３を説明する図であり、（ａ）は正面図、（ｂ）は平面図、（ｃ）は底面図、（ｄ）は右側面図、（ｅ）は（ａ）のＡ−Ａ断面図である。
【符号の説明】
【００４６】
１０，１０Ａ，１０Ｂ
カードホルダ
１１        前側のカード挟持板
１１ａ      前側のカード挟持板の内面（後面）
１２        後側のカード挟持板
１２ａ      後側のカード挟持板の内面（前面）
１３        第１脚部
１４        第２脚部
１５        補助板
１６        フック
２０        底部
２１，２２  リブ
２１ｂ，２２ｂ
傾斜ガイド
【図１】
2009028141.tif 000003
【図２】
2009028141.tif 000004
【図３】
2009028141.tif 000005
【図４】
2009028141.tif 000006
【図５】
2009028141.tif 000007
【図６】
2009028141.tif 000008
【図７】
2009028141.tif 000009
【図８】
2009028141.tif 000010
【図９】
2009028141.tif 000011
【図１０】
2009028141.tif 000012
【図１１】
2009028141.tif 000013
【図１２】
2009028141.tif 000014
【図１３】
2009028141.tif 000015
【図１４】
2009028141.tif 000016
【図１５】
2009028141.tif 000017